【手続補正書】
【提出日】平成19年10月29日(2007.10.29)
【手続補正１】
【補正対象書類名】特許請求の範囲
【補正対象項目名】全文
【補正方法】変更
【補正の内容】
【特許請求の範囲】
【請求項１】
画像処理装置であり、
処理画像の構成画素の補正パラメータとして、各画素に対応する彩度削減率を算出する補正パラメータ算出部と、
前記彩度削減率を適用して、処理画像の構成画素の彩度削減処理を含む画素値補正処理を実行する補正処理部とを有し、
前記補正処理部は、
前記補正パラメータ算出部の算出する彩度削減率に基づいて各画素の彩度削減処理を実行する画素彩度削減処理部と、
前記画素彩度削減処理部において彩度の削減された彩度削減画素の彩度と周囲参照画素の彩度との差分を縮小するように、前記彩度削減画素の彩度を補正する画素彩度補正処理部と、
を有する構成であることを特徴とする画像処理装置。
【請求項２】
前記補正処理部は、さらに、
画素彩度補正処理部の出力データに対して、彩度削減処理を施した画素と周囲画素の色相の差分を減少させるぼかし処理を実行するぼかし処理部を有する構成であることを特徴とする請求項１に記載の画像処理装置。
【請求項３】
前記画素彩度補正処理部は、
前記彩度削減画素の近傍にあり、かつ彩度削減画素と同一のスキャンラインに沿った画素を参照画素として選択し、該選択された参照画素の彩度と、前記彩度削減画素の彩度との差分を縮小するように、前記彩度削減画素の彩度補正処理を実行する構成であることを特徴とする請求項１に記載の画像処理装置。
【請求項４】
前記画素彩度補正処理部は、
前記彩度削減画素の近傍にあり、かつ彩度削減画素と同一のスキャンラインに沿った画素を参照画素として選択し、参照画素中、最も彩度の高い画素の彩度に前記彩度削減画素の彩度を近づける処理を実行する構成であることを特徴とする請求項１に記載の画像処理装置。
【請求項５】
前記画素彩度補正処理部は、
前記彩度削減画素の近傍にあり、かつ彩度削減画素と同一のスキャンラインに沿った画素を参照画素として選択し、参照画素中、最も彩度の高い画素の彩度が、前記彩度削減画素の彩度削減前の彩度以下である場合、前記彩度削減画素の彩度を前記彩度削減画素の彩度削減前の彩度に近づける処理を実行する構成であることを特徴とする請求項１に記載の画像処理装置。
【請求項６】
前記補正パラメータ算出部は、
処理画像から選択された注目画素についての、
（ａ）注目画素の色相と偽色の色相との類似性情報としての紫度と、
（ｂ）注目画素の白とび画素からの距離情報と、
を算出し、
（ｃ）前記紫度および距離情報とに基づいて算出される偽色度と、
（ｄ）注目画素の白とび画素からの方向情報に基づいて算出される方向別ゲインと、
を算出し、前記偽色度と前記方向別ゲインとに基づいて、注目画素に対応する彩度削減率を算出する構成であることを特徴とする請求項１乃至５いずれかに記載の画像処理装置。
【請求項７】
前記補正パラメータ算出部は、
注目画素の色相が偽色色相と類似し、白とび画素からの距離が近いほど、大きな値の偽色度を算出し、
注目画素と白とび画素とが、スキャンラインに沿った平行な位置にあるほど大きな値の方向別ゲインを算出し、
注目画素の偽色度が高く、方向別ゲインが高いほど、大きな値の彩度削減率を算出する構成であり、
前記画素彩度削減処理部は、
前記補正パラメータ算出部の算出した彩度削減率に基づいて各画素の彩度削減処理を実行する構成であることを特徴とする請求項６に記載の画像処理装置。
【請求項８】
前記偽色はパープルフリンジであり、
前記紫度は、注目画素の色相とパープルフリンジの色相との類似性情報としての紫度であることを特徴とする請求項６に記載の画像処理装置。
【請求項９】
画像処理方法であり、
処理画像の構成画素の補正パラメータとして、各画素に対応する彩度削減率を算出する補正パラメータ算出ステップと、
前記彩度削減率を適用して、処理画像の構成画素の彩度削減処理を含む画素値補正処理を実行する補正処理ステップとを有し、
前記補正処理ステップは、
前記補正パラメータ算出ステップにおいて算出する彩度削減率に基づいて各画素の彩度削減処理を実行する画素彩度削減処理ステップと、
前記画素彩度削減処理ステップにおいて彩度の削減された彩度削減画素の彩度と周囲参照画素の彩度との差分を縮小するように、前記彩度削減画素の彩度を補正する画素彩度補正処理ステップと、
を有することを特徴とする画像処理方法。
【請求項１０】
前記補正処理ステップは、さらに、
画素彩度補正処理ステップの出力データに対して、彩度削減処理を施した画素と周囲画素の色相の差分を減少させるぼかし処理を実行するぼかし処理ステップを有することを特徴とする請求項９に記載の画像処理方法。
【請求項１１】
前記画素彩度補正処理ステップは、
前記彩度削減画素の近傍にあり、かつ彩度削減画素と同一のスキャンラインに沿った画素を参照画素として選択し、該選択された参照画素の彩度と、前記彩度削減画素の彩度との差分を縮小するように、前記彩度削減画素の彩度補正処理を実行することを特徴とする請求項９に記載の画像処理方法。
【請求項１２】
前記画素彩度補正処理ステップは、
前記彩度削減画素の近傍にあり、かつ彩度削減画素と同一のスキャンラインに沿った画素を参照画素として選択し、参照画素中、最も彩度の高い画素の彩度に前記彩度削減画素の彩度を近づける処理を実行することを特徴とする請求項９に記載の画像処理方法。
【請求項１３】
前記画素彩度補正処理ステップは、
前記彩度削減画素の近傍にあり、かつ彩度削減画素と同一のスキャンラインに沿った画素を参照画素中、最も彩度の高い画素の彩度が、前記彩度削減画素の彩度削減前の彩度以下である場合、前記彩度削減画素の彩度を前記彩度削減画素の彩度削減前の彩度に近づける処理を実行することを特徴とする請求項９に記載の画像処理方法。
【請求項１４】
前記補正パラメータ算出ステップは、
処理画像から選択された注目画素についての、
（ａ）注目画素の色相と偽色の色相との類似性情報としての紫度と、
（ｂ）注目画素の白とび画素からの距離情報と、
を算出し、
（ｃ）前記紫度および距離情報とに基づいて算出される偽色度と、
（ｄ）注目画素の白とび画素からの方向情報に基づいて算出される方向別ゲインと、
を算出し、前記偽色度と前記方向別ゲインとに基づいて、注目画素に対応する彩度削減率を算出するステップであることを特徴とする請求項９乃至１３いずれかに記載の画像処理方法。
【請求項１５】
前記補正パラメータ算出ステップは、
注目画素の色相が偽色色相と類似し、白とび画素からの距離が近いほど、大きな値の偽色度を算出し、
注目画素と白とび画素とが、スキャンラインに沿った平行な位置にあるほど大きな値の方向別ゲインを算出し、
注目画素の偽色度が高く、方向別ゲインが高いほど、大きな値の彩度削減率を算出する構成であり、
前記画素彩度削減処理ステップは、
前記補正パラメータ算出ステップにおいて算出した彩度削減率に基づいて各画素の彩度削減処理を実行することを特徴とする請求項１４に記載の画像処理方法。
【請求項１６】
前記偽色はパープルフリンジであり、
前記紫度は、注目画素の色相とパープルフリンジの色相との類似性情報としての紫度であることを特徴とする請求項１４に記載の画像処理方法。
【請求項１７】
画像処理をコンピュータ上で実行させるコンピュータ・プログラムであり、
処理画像の構成画素の補正パラメータとして、各画素に対応する彩度削減率を算出する補正パラメータ算出ステップと、
前記彩度削減率を適用して、処理画像の構成画素の彩度削減処理を含む画素値補正処理を実行する補正処理ステップとを有し、
前記補正処理ステップは、
前記補正パラメータ算出ステップにおいて算出する彩度削減率に基づいて各画素の彩度削減処理を実行する画素彩度削減処理ステップと、
前記画素彩度削減処理ステップにおいて彩度の削減された彩度削減画素の彩度と周囲参照画素の彩度との差分を縮小するように、前記彩度削減画素の彩度を補正する画素彩度補正処理ステップと、
を有することを特徴とするコンピュータ・プログラム。
【手続補正２】
【補正対象書類名】明細書
【補正対象項目名】００１４
【補正方法】変更
【補正の内容】
【００１４】
さらに、本発明の画像処理装置の一実施態様において、前記画素彩度補正処理部は、前記彩度削減画素の近傍にあり、かつ彩度削減画素と同一のスキャンラインに沿った画素を参照画素として選択し、参照画素中、最も彩度の高い画素の彩度が、前記彩度削減画素の彩度削減前の彩度以下である場合、前記彩度削減画素の彩度を前記彩度削減画素の彩度削減前の彩度に近づける処理を実行する構成であることを特徴とする。
【手続補正３】
【補正対象書類名】明細書
【補正対象項目名】００６０
【補正方法】変更
【補正の内容】
【００６０】
デジタル信号処理部（ＤＳＰ）１０６は、図３に示すように、ホワイトバランス調整手段２０１、ガンマ補正処理手段２０２、デモザイク処理手段２０３、ＹＣｂＣｒ変換手段２０４、エッジ強調処理手段２０５、偽色（ＰＦ）補正処理手段２０６から構成されている。
【手続補正４】
【補正対象書類名】明細書
【補正対象項目名】００６３
【補正方法】変更
【補正の内容】
【００６３】
その後、ＲＧＢデータがすべての画素に設定されたデモザイク画像データをＹＣｂＣｒ変換手段２０４に入力し、ＹＣｂＣｒ変換手段２０４において、ＲＧＢ信号のＹＣｂＣｒ色空間への変換処理を実行し、輝度信号（Ｙ）と、色信号（Ｃｂ，Ｃｒ）とに分離し、輝度信号（Ｙ）をエッジ強調処理手段２０５に入力して、輝度信号（Ｙ）に基づくエッジ強調処理を実行する。
【手続補正５】
【補正対象書類名】明細書
【補正対象項目名】００９３
【補正方法】変更
【補正の内容】
【００９３】
ステップＳ３０４〜Ｓ３０８の処理について説明する。ステップＳ３０４では、ステップＳ３０１で設定した白とび探索範囲（ｘ０，ｙ０，ｘ１，ｙ１）内において白とび探索を行う。白とび探索は、白とび検出部３０１において生成した白とび検出マップ［Ｗ］３５４に基づいて実行される。ステップＳ３０４で、白とび探索範囲（ｘ０，ｙ０，ｘ１，ｙ１）内から順次選択される選択画素（ｓ，ｔ）についてのＹＣｂＣｒ入力画素３５１におけるフラグＷ（ｓ，ｔ）を判定する。
【手続補正６】
【補正対象書類名】明細書
【補正対象項目名】０１４５
【補正方法】変更
【補正の内容】
【０１４５】
彩度削減を実行した注目画素５１１と、通常画素５１４との彩度の差が大きくなると、画像の不自然さが増大し、画像の品質低下を招くことになる。このような事態を防止するため、図１３（Ａ）のような構成の場合には、注目画素（ｘ，ｙ）５１１が偽色（ＰＦ）画素である場合においても、彩度削減率を低下させて過度な彩度低下を実行しない構成としている。なお、彩度削減処理、補正処理の詳細については後段で説明する。
【手続補正７】
【補正対象書類名】図面
【補正対象項目名】図２
【補正方法】変更
【補正の内容】
【図２】
2006135745.tif 000001